(57)【特許請求の範囲】
【請求項１】
前面に室内空気吸込用の吸込グリル（２）を、１側面に調和空気吹出用の第１吹出グリル（３Ａ）をそれぞれ有する箱状ケーシング（１）と、該箱状ケーシング（１）内において前記吸込グリル（２）と対向して配設された熱交換器（４）と、該熱交換器（４）の背面側における略同一平面上に位置して前記第１吹出口（３Ａ）の方向に並ぶ第１および第２吸込口（６Ａ），（６Ｂ）と該第１および第２吸込口（６Ａ），（６Ｂ）にそれぞれ対向する第１および第２羽根車（７Ａ），（７Ｂ）と該第１および第２両羽根車（７Ａ），（７Ｂ）の背面板となる隔壁（１４）と前記第１吹出グリル（３Ａ）側およびその反対側に前記第１および第２羽根車（７Ａ），（７Ｂ）からの吹出空気流をそれぞれ吐出する第１および第２吐出口（８Ａ），（８Ｂ）とを有し且つ前記第１および第２吸込口（６Ａ），（６Ｂ）および第１および第２羽根車（７Ａ），（７Ｂ）を仕切板（９）によりそれぞれ隔離してなる送風機ユニット（５）とを備えた空気調和機であって、前記送風機ユニット（５）における第１吐出口（８Ａ）からの吐出空気流を前記第１吹出グリル（３Ａ）側へ導く第１吹出流路（１０）と、前記送風機ユニット（５）の隔壁（１４）の背面側に位置して該送風機ユニット（５）における第２吐出口（８Ｂ）からの吐出空気流を第１連通口（１２）を介して前記第１吹出グリル（３Ａ）側へ導く第２吹出流路（１１）とを設けたことを特徴とする空気調和機。
【請求項２】
前記送風機ユニット（５）における第１および第２羽根車（７Ａ），（７Ｂ）からの吹出空気流を前記第２吹出流路（１１）へそれぞれ吐出する副吐出口（１５），（１６）を設けたことを特徴とする前記請求項１記載の空気調和機。
【請求項３】
前記箱状ケーシング（１）における前記第１吹出グリル（３Ａ）と反対側側面には、前記第２吐出口（８Ｂ）および第２吹出流路（１１）と連通する調和空気吹出用の第２吹出グリル（３Ｂ）を設け且つ前記第１吹出流路（１０）と第２吹出流路（１１）とを連通する第２連通口（２２）を形成するとともに、前記第１吹出グリル（３Ａ）および前記第２連通口（２２）を択一的に開閉する第１ダンパ（２４），（２５）と、前記第２吹出グリル（３Ｂ）および前記第１連通口（１２）を択一的に開閉する第２ダンパ（２６），（２７）とを付設したことを特徴とする前記請求項１および請求項２のいずれか一項記載の空気調和機。
【請求項４】
前面に室内空気吸込用の吸込グリル（２）を、対向する両側面に調和空気吹出用の第１および第２吹出グリル（３Ａ），（３Ｂ）をそれぞれ有する箱状ケーシング（１）と、該箱状ケーシング（１）内において前記吸込グリル（２）と対向して配設された熱交換器（４）と、該熱交換器（４）の背面側に位置し、一つの吸込口（６）と該吸込口（６）に対向する一つの羽根車（７）と前記第１および第２吹出グリル（３Ａ），（３Ｂ）側に前記羽根車（７）からの吹出空気流をそれぞれ吐出する第１および第２吐出口（８Ａ），（８Ｂ）とを有してなる送風機ユニット（５）とを備えた空気調和機であって、前記送風機ユニット（５）における前記第１吐出口（８Ａ）からの吐出空気流を前記第１吹出グリル（３Ａ）側へ導く第１吹出流路（１０）と、前記送風機ユニット（５）の背面側に位置して該送風機ユニット（５）における第２吐出口（８Ｂ）からの吐出空気流を第１連通口（１２）を介して前記第１吹出グリル（３Ａ）側へ導く第２吹出流路（１１）と、前記送風機ユニット（５）における第２吐出口（８Ｂ）からの吐出空気流を前記第２吹出グリル（３Ｂ）側へ導く第３吹出流路（２８）とを設け且つ前記第１吹出流路（１０）と第２吹出流路（１１）とを連通する第２連通口（２２）を形成するとともに、前記第１吹出グリル（３Ａ）および前記第２連通口（２２）を択一的に開閉する第１ダンパ（２４），（２５）と、前記第２吹出グリル（３Ｂ）および前記第１連通口（１２）を択一的に開閉する第２ダンパ（２６），（２７）とを付設したことを特徴とする空気調和機。
【発明の詳細な説明】
【０００１】
【発明の属する技術分野】
本願発明は、空気調和機に関し、さらに詳しくは奥行寸法を可及的に小さくした薄型の空気調和機に関するものである。
【０００２】
【従来の技術】
前面に室内空気吸込用の吸込グリルを、１側面に調和空気吹出用の吹出グリルをそれぞれ有する箱状ケーシング内に、前記吸込グリルと対向した姿勢で熱交換器を配設し、箱状ケーシングの長手方向（例えば、上下方向）に二つの送風機を軸方向にずらし且つその吐出口を同一方向（例えば、共に上向き）となして配置した空気調和機が既に提案されている。
【０００３】
【発明が解決しようとする課題】
ところで、空気調和機の場合、床置状態あるいは壁掛状態で使用されることが多いが、その場合、奥行寸法ができるだけ小さい方が室内スペースを最大限に活用し得る点で有利である。
【０００４】
ところが、上記公知例におけるように、軸方向にずらした二つの送風機を上下に配設した場合、軸方向にずらした分だけ空気調和機の奥行寸法が大きくならざるを得ず、薄型化が難しくなるという問題がある。また、送風機吹出流路内の通過風速を抑えるためには、羽根車を小径にするのが望ましいが、すると、熱交換器を通過する空気流の風速分布が悪くなる。この解決のためには、熱交換器と送風機との距離を大きくする必要があるが、そのようにすると、空気調和機の薄型化が難しくなるという問題が生ずる。
【０００５】
本願発明は、上記の点に鑑みてなされたもので、熱交換器における風速分布を良好に保持しつつ箱状ケーシングの薄型化を図ることを目的とするものである。
【０００６】
【課題を解決するための手段】
本願発明の基本構成では、上記課題を解決するための手段として、前面に室内空気吸込用の吸込グリル２を、１側面に調和空気吹出用の第１吹出グリル３Ａをそれぞれ有する箱状ケーシング１と、該箱状ケーシング１内において前記吸込グリル２と対向して配設された熱交換器４と、該熱交換器４の背面側における略同一平面上に位置して前記第１吹出グリル３Ａの方向に並ぶ第１および第２吸込口６Ａ，６Ｂと該第１および第２吸込口６Ａ，６Ｂにそれぞれ対向する第１および第２羽根車７Ａ，７Ｂと該第１および第２両羽根車７Ａ，７Ｂの背面板となる隔壁１４と前記第１吹出グリル３Ａ側およびその反対側に前記第１および第２羽根車７Ａ，７Ｂからの吹出空気流をそれぞれ吐出する第１および第２吐出口８Ａ，８Ｂとを有し且つ前記第１および第２吸込口６Ａ，６Ｂおよび第１および第２羽根車７Ａ，７Ｂを仕切板９によりそれぞれ隔離してなる送風機ユニット５とを備えた空気調和機において、前記送風機ユニット５における第１吐出口８Ａからの吐出空気流を前記第１吹出グリル３Ａ側へ導く第１吹出流路１０と、前記送風機ユニット５の隔壁１４の背面側に位置して該送風機ユニット５における第２吐出口６Ｂからの吐出空気流を第１連通口１２を介して前記第１吹出グリル３Ａ側へ導く第２吹出流路１１とを設けて、熱交換器４における風速分布の改善と箱状ケーシング１の薄型化との両立を図り得るようにしている。
【０００７】
本願発明の基本構成において、前記送風機ユニット５における第１および第２羽根車７Ａ，７Ｂからの吹出空気流を前記第２吹出流路１１へそれぞれ吐出する副吐出口１５，１６を設けた場合、送風機ユニット５における第１および第２羽根車７Ａ，７Ｂからの吹出空気流が第１吹出グリル３Ａへより円滑に導かれることとなり、低運転音化および省動力化に大いに寄与する。
【０００８】
また、前記箱状ケーシング１における前記第１吹出グリル３Ａと反対側側面に、前記第２吐出口８Ｂおよび第２吹出流路と連通する調和空気吹出用の第２吹出グリル３Ｂを設け且つ前記第１吹出流路１０と第２吹出流路１１とを連通する第２連通口２２を形成するとともに、前記第１吹出グリル３Ａおよび前記第２連通口２２を択一的に開閉する第１ダンパ２４，２５と、前記第２吹出グリル３Ｂおよび前記第１連通口１２を択一的に開閉する第２ダンパ２６，２７とを付設した場合、調和空気の吹出方向を任意に選択できることとなり、使用形態の多様化を図ることができる。
【０００９】
本願発明の他の基本構成では、上記課題を解決するための手段として、  前面に室内空気吸込用の吸込グリル２を、対向する両側面に調和空気吹出用の第１および第２吹出グリル３Ａ，３Ｂをそれぞれ有する箱状ケーシング１と、該箱状ケーシング１内において前記吸込グリル２と対向して配設された熱交換器４と、該熱交換器４の背面側に位置し、一つの吸込口６と該吸込口６に対向する一つの羽根車７と前記第１および第２吹出グリル３Ａ，３Ｂ側に前記羽根車７からの吹出空気流をそれぞれ吐出する第１および第２吐出口８Ａ，８Ｂとを有してなる送風機ユニット５とを備えた空気調和機において、前記送風機ユニット５における前記第１吐出口８Ａからの吐出空気流を前記第１吹出グリル３Ａ側へ導く第１吹出流路１０と、前記送風機ユニット５の背面側に位置して該送風機ユニット５における第２吐出口８Ｂからの吐出空気流を第１連通口１２を介して前記第１吹出グリル３Ａ側へ導く第２吹出流路１１と、前記送風機ユニット５における第２吐出口８Ｂからの吐出空気流を前記第２吹出グリル３Ｂ側へ導く第３吹出流路２８とを設け且つ前記第１吹出流路１０と第２吹出流路１１とを連通する第２連通口２２を形成するとともに、前記第１吹出グリル３Ａおよび前記第２連通口２２を択一的に開閉する第１ダンパ２４，２５と、前記第２吹出グリル３Ｂおよび前記第１連通口１２を択一的に開閉する第２ダンパ２６，２７とを付設して、熱交換器４における風速分布の改善と箱状ケーシング１の薄型化との両立を図り、しかも調和空気の吹出方向を任意に選択できるようにしている。
【００１０】
【発明の実施の形態】
以下、添付の図面を参照して、本願発明の幾つかの好適な実施の形態について詳述する。
【００１１】
第１の実施の形態
図１および図２には、本願発明の第１の実施の形態にかかる空気調和機が示されている。
【００１２】
この空気調和機は、前面に室内空気吸込口となる吸込グリル２を、１側面に調和空気吹出口となる第１吹出グリル３Ａをそれぞれ有する略直方体形状の箱状ケーシング１と、該箱状ケーシング１内において前記吸込グリル２と対向して配設された熱交換器４と、該熱交換器４の背面側における略同一平面上に位置して前記第１吹出グリル３Ａの方向に並ぶ第１および第２吸込口６Ａ，６Ｂと該第１および第２吸込口６Ａ，６Ｂにそれぞれ対向する第１および第２羽根車７Ａ，７Ｂと前記第１吹出グリル３Ａ側およびその反対側に前記第１および第２羽根車７Ａ，７Ｂからの吹出空気流をそれぞれ吐出する第１および第２吐出口８Ａ，８Ｂとを有し且つ前記第１および第２吸込口６Ａ，６Ｂおよび第１および第２羽根車７Ａ，７Ｂを仕切板９によりそれぞれ隔離してなる送風機ユニット５とを備えて構成されており、床面Ｆ上に第１吹出グリル３Ａを上向きにして設置されるものである。なお、前記第１吹出グリル３Ａは、箱状ケーシング１の背面を壁面Ｗにピッタリ接触させた状態での使用に適するように前下がり形状とされている。
【００１３】
前記送風機ユニット５における第１および第２羽根車７Ａ，７Ｂは、回転方向後向きに傾斜した多数の羽根１７，１７・・を有する大径偏平タイプとされており、送風機ユニット５における奥行寸法が小さく抑えられている。なお、羽根車として、径方向に向いた羽根を有するもの、あるいは回転方向前向きに傾斜した羽根を有するもの、もしくは斜流タイプのものを採用することも可能である。
【００１４】
前記箱状ケーシング１内には、送風機ユニット５における第１吐出口８Ａからの吐出空気流（換言すれば、調和空気）Ａ1を前記第１吹出グリル３Ａ側へ導く第１吹出流路１０と、前記送風機ユニット５の背面側に位置して該送風機ユニット５における第２吐出口８Ｂからの吐出空気流（換言すれば、調和空気）Ａ2を第１連通口１２を介して前記第１吹出グリル３Ａ側へ導く第２吹出流路１１とが設けられている。符号１３Ａ，１３Ｂは第１および第２羽根車７Ａ，７Ｂの駆動源であるファンモータ、１４は送風機ユニット５の背面板を構成するとともにファンモータ１３Ａ，１３Ｂの取付部材となる隔壁である。
【００１５】
前記隔壁１４は、その上端が前記第１吹出グリル３Ａにまで延設されており、前記第１吹出流路１０と第２吹出流路１１とを区画する仕切部材としても作用している。なお、前記第１連通口１２は前記隔壁１４の下端部に形成されている。
【００１６】
また、前記隔壁１４における仕切板９の上下位置には、前記送風機ユニット５における第１および第２羽根車７Ａ，７Ｂからの吹出空気流Ａ1，Ａ2を前記第２吹出流路１１へそれぞれ吐出する副吐出口１５，１６が設けられている。該副吐出口１５，１６の下端口縁（即ち、第１吹出グリル３Ａと反対側および第１吹出グリル３Ａ側の口縁）には、吐出空気流Ａ1，Ａ2を第１吹出グリル３Ａ側へ案内する斜め上向きの（即ち、第１吹出グリル３Ａ側に傾斜した）ガイド片１８，１９がそれぞれ形成されている。また、前記副吐出口１５および前記第１連通口１２の上端口縁（即ち、第１吹出グリル３Ａ側の口縁）には、吐出空気流Ａ1，Ａ2を円滑に第２吹出流路１１へ案内する膨出部２０，２１がそれぞれ形成されている。
【００１７】
上記のように構成された空気調和機は、次のように作用する。
【００１８】
吸込グリル２から吸い込まれた室内空気Ａは、熱交換器４を通過する過程で該熱交換器４内を流通する冷媒と熱交換して加熱あるいは冷却された後、第１および第２吸込口６Ａ，６Ｂから送風機ユニット５に吸い込まれる。
【００１９】
送風機ユニット５における第１羽根車７Ａからの吐出空気流（即ち、調和空気）Ａ1は、第１吐出口８Ａから第１吹出流路１０を経て第１吹出グリル３Ａから吹き出される流れと、副吐出口１５から第２吹出流路１１を経て第１吹出グリル３Ａから吹き出される流れとに分かれ、送風機ユニット５における第２羽根車７Ｂからの吐出空気流（即ち、調和空気）Ａ2は、第２吐出口８Ｂから第１連通口１２および第２吹出流路１１を経て第１吹出グリル３Ａから吹き出される流れと、副吐出口１６から第２吹出流路１１を経て第１吹出グリル３Ａから吹き出される流れとに分かれる。
【００２０】
つまり、送風機ユニット５からの吐出空気流Ａ1，Ａ2は、第１吹出流路１０と第２吹出流路１１との二つの流路を通って第１吹出グリル３Ａから吹き出されることとなるため、流路断面積が大幅に増大することとなり、通風抵抗が低減される。つまり、第１および第２羽根車７Ａ，７Ｂの回転数をあまり高くしなくとも、十分な風量が確保できることとなり、運転音および所要動力の増大を抑えることができる。
【００２１】
また、送風機ユニット５を、二つの吸込口６Ａ，６Ｂおよび二つの羽根車７Ａ，７Ｂを有するように構成しているので、熱交換器４との距離を大きくとらなくとも、熱交換器４における風速分布を良好に保持できるとともに、第２吹出流路１１は従来デッドスペースとなっていた部分（即ち、送風機ユニット５の背面側）に形成されているので、箱状ケーシング１の奥行寸法Ｌを大幅に小さくできる。つまり、熱交換器４における風速分布の改善と箱状ケーシング１の薄型化との両立を図ることができるのである。
【００２２】
しかも、前面吸込、天面吹出となっているため、箱状ケーシング１の背面側を壁面Ｗにピッタリ接した状態での設置が可能となるところから、設置スペースを可及的に小さくできる。
【００２３】
さらに、本実施の形態におけるように、送風機ユニット５における第１および第２羽根車７Ａ，７Ｂからの吹出空気流Ａ1，Ａ2を前記第２吹出流路１１へそれぞれ吐出する副吐出口１５，１６を設けた場合、第１および第２羽根車７Ａ，７Ｂからの吹出空気流Ａ1，Ａ2が第１吹出グリル３Ａへより円滑に導かれることとなり、低運転音化および省動力化に大いに寄与する。
【００２４】
なお、この空気調和機は、第１吹出グリル３Ａが横向きとなるような姿勢での使用も可能であり、この場合においても、箱状ケーシング１の背面側を壁面Ｗにピッタリ接した状態での設置が可能である。
【００２５】
第２の実施の形態
図３および図４には、本願発明の第２の実施の形態にかかる空気調和機が示されている。
【００２６】
この場合、第１の実施の形態にかかる空気調和機と相異している点は、副吐出口１５，１６が省略されている点のみである。このようにすると、副吐出口１５，１６を介して第２吹出流路１１へ吐出される空気流が得られない分、第１および第２羽根車７Ａ，７Ｂの負担が増大するため、運転音および所要動力が第１の実施の形態に比べてやや増大するが、問題となる程ではない。その他の構成および作用効果は、第１の実施の形態におけると同様なので説明を省略する。
【００２７】
第３の実施の形態
図５および図６には、本願発明の第３の実施の形態にかかる空気調和機が示されている。
【００２８】
この空気調和機においては、箱状ケーシング１における第１吹出グリル３Ａと反対側側面に、送風機ユニット５における第２吐出口８Ｂが臨む第３吹出流路２８および第２吹出流路１１と連通する調和空気吹出口となる第２吹出グリル３Ｂが設けられている。従って、この空気調和機は、床面Ｆから所定距離離れた位置において壁面Ｗに対して設置される壁掛けタイプとされている。
【００２９】
そして、送風機ユニット５が取り付けられる隔壁１４の上部には、第１吹出流路１０と第２吹出流路１１とを連通する第２連通口２２が形成されており、該第２連通口２２の下端口縁（即ち、第１吹出グリル３Ａと反対側の口縁）には、吐出空気流Ａ1を円滑に第１吹出流路１０から第２吹出流路１１へ案内する膨出部２３が形成されている。符号２９は副吐出口１６の下端口縁に形成された膨出部である。
【００３０】
さらに、第１吹出グリル３Ａの内面側には、該第１吹出グリル３Ａおよび第２連通口２２を択一的に開閉する第１ダンパ２４，２５が付設され、第２吹出グリル３Ｂの内面側には、該第２吹出グリル３Ｂおよび第１連通口１２を択一的に開閉する第２ダンパ２６，２７が付設されている。例えば、冷房運転時においては、第１ダンパ２４，２５は第２連通口２２を閉塞し、第２ダンパ２６，２７は第２吹出グリル３Ｂを閉塞する一方、暖房運転時においては、第１ダンパ２４，２５は第１吹出グリル３Ａを閉塞し、第２ダンパ２６，２７は第１連通口１２を閉塞することとなっている。その他の構成は第１の実施の形態におけると同様なので説明を省略する。
【００３１】
上記のように構成した空気調和機は、次のように作用する。
【００３２】
（Ｉ）冷房運転時
図６に鎖線で示すように、第１ダンパ２４，２５により第２連通口２２を閉塞し、第２ダンパ２６，２７により第２吹出グリル３Ｂを閉塞した状態で運転を開始する。
【００３３】
すると、吸込グリル２から吸い込まれた室内空気Ａは、熱交換器４を通過する過程で該熱交換器４内を流通する冷媒と熱交換して冷却された後、第１および第２吸込口６Ａ，６Ｂから送風機ユニット５に吸い込まれる。
【００３４】
送風機ユニット５における第１羽根車７Ａからの吐出空気流（即ち、調和空気）Ａ1は、図６に実線矢印で示すように、第１吐出口８Ａから第１吹出流路１０を経て第１吹出グリル３Ａから吹き出される流れと、副吐出口１５から第２吹出流路１１を経て第１吹出グリル３Ａから吹き出される流れとに分かれ、送風機ユニット５における第２羽根車７Ｂからの吐出空気流（即ち、調和空気）Ａ2は、第２吐出口８Ｂから第１連通口１２および第２吹出流路１１を経て第１吹出グリル３Ａから吹き出される流れと、副吐出口１６から第２吹出流路１１を経て第１吹出グリル３Ａから吹き出される流れとに分かれる。つまり、送風機ユニット５からの吐出空気流Ａ1，Ａ2は、第１吹出流路１０と第２吹出流路１１との二つの流路を通って第１吹出グリル３Ａから吹き出されることとなるのである。
【００３５】
（ＩＩ）暖房運転時
図６に実線で示すように、第１ダンパ２４，２５により第１吹出グリル３Ａを閉塞し、第２ダンパ２６，２７により第１連通口１２を閉塞した状態で運転を開始する。
【００３６】
すると、吸込グリル２から吸い込まれた室内空気Ａは、熱交換器４を通過する過程で該熱交換器４内を流通する冷媒と熱交換して加熱された後、第１および第２吸込口６Ａ，６Ｂから送風機ユニット５に吸い込まれる。
【００３７】
送風機ユニット５における第１羽根車７Ａからの吐出空気流（即ち、調和空気）Ａ1は、図６に点線矢印で示すように、第１吐出口８Ａから第１吹出流路１０、第２連通口２２および第２吹出流路１１を経て第２吹出グリル３Ｂから吹き出される流れと、副吐出口１５から第２吹出流路１１を経て第２吹出グリル３Ｂから吹き出される流れとに分かれ、送風機ユニット５における第２羽根車７Ｂからの吐出空気流（即ち、調和空気）Ａ2は、第２吐出口８Ｂから第３吹出流路２８を経て第２吹出グリル３Ｂから吹き出される流れと、副吐出口１６から第２吹出流路１１を経て第２吹出グリル３Ｂから吹き出される流れとに分かれる。つまり、送風機ユニット５からの吐出空気流Ａ1，Ａ2は、第３吹出流路２８と第２吹出流路１１との二つの流路を通って第２吹出グリル３Ｂから吹き出されることとなるのである。
【００３８】
上記したように、本実施の形態にかかる空気調和機においては、第１ダンパ２４，２５および第２ダンパ２６，２７の切換操作により、冷房運転時には第１吹出グリル３Ａから、暖房運転時には第２吹出グリル３Ｂから調和空気が吹き出されることとなり、箱状ケーシング１の薄型化を図りつつ冷房運転あるいは暖房運転に最適な調和空気吹出が得られる。
【００３９】
なお、本実施の形態にかかる空気調和機は、第１および第２吹出グリル３Ａ，３Ｂを横向きとして使用することも可能であり、その場合、設置場所により第１ダンパ２４，２５および第２ダンパ２６，２７を切換操作して第１吹出グリル３Ａあるいは第２吹出グリル３Ｂからの調和空気吹出が得られるようにすればよい。つまり、空気調和機の使用形態の多様化を図ることができるのである。
【００４０】
その他の作用効果は、第１の実施の形態におけると同様なので説明を省略する。
【００４１】
第４の実施の形態
図７および図８には、本願発明の第４の実施の形態にかかる空気調和機が示されている。
【００４２】
この場合、第３の実施の形態にかかる空気調和機と相異している点は、副吐出口１５，１６が省略されている点のみである。このようにすると、副吐出口１５，１６を介して第２吹出流路１１へ吐出される空気流が得られない分、第１および第２羽根車７Ａ，７Ｂの負担が増大するため、運転音および所要動力が第１の実施の形態に比べてやや増大するが、問題となる程ではない。その他の構成および作用効果は、第３の実施の形態におけると同様なので説明を省略する。
【００４３】
第５の実施の形態
図９には、本願発明の第５の実施の形態にかかる空気調和機が示されている。
【００４４】
この空気調和機においても、第３の実施の形態におけると同様に、箱状ケーシング１における第１吹出グリル３Ａと反対側側面に、送風機ユニット５における第２吐出口８Ｂが臨む第３吹出流路２８および第２吹出流路１１と連通する調和空気吹出口となる第２吹出グリル３Ｂが設けられている。従って、この空気調和機は、床面Ｆから所定距離離れた位置において壁面Ｗに対して設置される壁掛けタイプとされている。
【００４５】
また、前記送風機ユニット５は、一つの吸込口６と該吸込口６に対向する一つの羽根車７と第１および第２吹出グリル３Ａ，３Ｂ側に前記羽根車７からの吹出空気流をそれぞれ吐出する第１および第２吐出口８Ａ，８Ｂとを有して構成されている。該羽根車７も、回転方向後向きの羽根を有する大径偏平タイプとされている。従って、第１の実施の形態における仕切板９および副吐出口１５，１６は省略される。なお、第１の実施の形態におけると同様に、羽根車として、径方向に向いた羽根を有するもの、あるいは回転方向前向きに傾斜した羽根を有するもの、もしくは斜流タイプのものを採用することも可能である。
【００４６】
そして、前記送風機ユニット５が取り付けられる隔壁１４の上部には、第１吹出流路１０と第２吹出流路１１とを連通する第２連通口２２が形成されており、該第２連通口２２の下端口縁（即ち、第１吹出グリル３Ａと反対側の口縁）には、吐出空気流Ａ1を円滑に第１吹出流路１０から第２吹出流路１１へ案内する膨出部２３が形成されている。
【００４７】
さらに、第１吹出グリル３Ａの内面側には、該第１吹出グリル３Ａおよび第２連通口２２を択一的に開閉する第１ダンパ２４，２５が付設され、第２吹出グリル３Ｂの内面側には、該第２吹出グリル３Ｂおよび第１連通口１２を択一的に開閉する第２ダンパ２６，２７が付設されている。例えば、冷房運転時においては、第１ダンパ２４，２５は第２連通口２２を閉塞し、第２ダンパ２６，２７は第２吹出グリル３Ｂを閉塞する一方、暖房運転時においては、第１ダンパ２４，２５は第１吹出グリル３Ａを閉塞し、第２ダンパ２６，２７は第１連通口１２を閉塞することとなっている。その他の構成は第１の実施の形態におけると同様なので説明を省略する。
【００４８】
上記のように構成した空気調和機は、次のように作用する。
【００４９】
（Ｉ）冷房運転時
図９に鎖線で示すように、第１ダンパ２４，２５により第２連通口２２を閉塞し、第２ダンパ２６，２７により第２吹出グリル３Ｂを閉塞した状態で運転を開始する。
【００５０】
すると、吸込グリル２から吸い込まれた室内空気Ａは、熱交換器４を通過する過程で該熱交換器４内を流通する冷媒と熱交換して冷却された後、吸込口６から送風機ユニット５に吸い込まれる。
【００５１】
送風機ユニット５における羽根車７からの吐出空気流（即ち、調和空気）Ａ′は、図９に実線矢印で示すように、第１吐出口８Ａから第１吹出流路１０を経て第１吹出グリル３Ａから吹き出される流れと、第２吐出口８Ｂから第１連通口１２および第２吹出流路１１を経て第１吹出グリル３Ａから吹き出される流れとに分かれる。つまり、送風機ユニット５からの吐出空気流Ａ′は、第１吹出流路１０と第２吹出流路１１との二つの流路を通って第１吹出グリル３Ａから吹き出されることとなるのである。
【００５２】
（ＩＩ）暖房運転時
図９に実線で示すように、第１ダンパ２４，２５により第１吹出グリル３Ａを閉塞し、第２ダンパ２６，２７により第１連通口１２を閉塞した状態で運転を開始する。
【００５３】
すると、吸込グリル２から吸い込まれた室内空気Ａは、熱交換器４を通過する過程で該熱交換器４内を流通する冷媒と熱交換して加熱された後、吸込口６から送風機ユニット５に吸い込まれる。
【００５４】
送風機ユニット５における羽根車７からの吐出空気流（即ち、調和空気）Ａ′は、図９に点線矢印で示すように、第１吐出口８Ａから第１吹出流路１０、第２連通口２２および第２吹出流路１１を経て第２吹出グリル３Ｂから吹き出される流れと、第２吐出口８Ｂから第３吹出流路２８を経て第２吹出グリル３Ｂから吹き出される流れとに分かれる。つまり、送風機ユニット５からの吐出空気流Ａ′は、第３吹出流路２８と第２吹出流路１１との二つの流路を通って第２吹出グリル３Ｂから吹き出されることとなるのである。
【００５５】
上記したように、本実施の形態にかかる空気調和機においては、第１ダンパ２４，２５および第２ダンパ２６，２７の切換操作により、冷房運転時には第１吹出グリル３Ａから、暖房運転時には第２吹出グリル３Ｂから調和空気が吹き出されることとなり、箱状ケーシング１の薄型化を図りつつ冷房運転あるいは暖房運転に最適な調和空気吹出が得られる。
【００５６】
なお、本実施の形態にかかる空気調和機は、第１および第２吹出グリル３Ａ，３Ｂを横向きとして使用することも可能であり、その場合、設置場所により第１ダンパ２４，２５および第２ダンパ２６，２７を切換操作して第１吹出グリル３Ａあるいは第２吹出グリル３Ｂからの調和空気吹出が得られるようにすればよい。つまり、空気調和機の使用形態の多様化を図ることができるのである。
【００５７】
その他の作用効果は、第１の実施の形態におけると同様なので説明を省略する。
【００５８】
第６の実施の形態
図１０には、本願発明の第６の実施の形態にかかる空気調和機が示されている。
【００５９】
この場合、第５の実施の形態における送風機ユニット５、第１および第２吹出グリル３Ａ，３Ｂ、第１および第２連通口１２，２２等を有する空気調和機ユニットＸを仕切板３０を介して２個横並びで使用し且つ両空気調和機ユニットＸ，Ｘに対して熱交換器４を共用するように構成した横長型の壁掛形態としている。このようにすると、熱交換器４における風速分布がより一層改善できる。この場合にも、第１および第２吹出グリル３Ａ，３Ｂを横向きとして使用することが可能である。なお、空気調和機ユニットＸの個数は使用個所に応じて増加してもよい。その他の構成および作用効果は第５の実施の形態におけると同様なので説明を省略する。
【００６０】
【発明の効果】
本願発明によれば、送風機ユニット５からの吐出空気流Ａ1，Ａ2が、第１吹出流路１０と第２吹出流路１１との二つの流路を通って第１吹出グリル３Ａから吹き出されるようにしているので、流路断面積が大幅に増大することとなり、通風抵抗が低減される。つまり、第１および第２羽根車７Ａ，７Ｂの回転数をあまり高くしなくとも、十分な風量が確保できることとなり、運転音および所要動力の増大を抑えることができる。
【００６１】
また、送風機ユニット５を、二つの吸込口６Ａ，６Ｂおよび二つの羽根車７Ａ，７Ｂを有するように構成しているので、熱交換器４との距離を大きくとらなくとも、熱交換器４における風速分布を良好に保持できるとともに、第２吹出流路１１は従来デッドスペースとなっていた部分（即ち、送風機ユニット５の背面側）に形成されているので、箱状ケーシング１の奥行寸法Ｌを大幅に小さくできる。つまり、熱交換器４における風速分布の改善と箱状ケーシング１の薄型化との両立を図ることができるのである。
【００６２】
しかも、前面吸込、天面あるいは側面吹出となっているため、箱状ケーシング１の背面側を壁面Ｗにピッタリ接した状態での設置が可能となるところから、設置スペースを可及的に小さくできる。
【００６３】
ところで、箱状ケーシング１における第１吹出グリル３Ａと反対側側面に、前記第２吐出口８Ｂおよび第２吹出流路１１と連通する調和空気吹出用の第２吹出グリル３Ｂを設け且つ前記第１吹出流路１０と第２吹出流路１１とを連通する第２連通口２２を形成するとともに、前記第１吹出グリル３Ａおよび前記第２連通口２２を択一的に開閉する第１ダンパ２４，２５と、前記第２吹出グリル３Ｂおよび前記第１連通口１２を択一的に開閉する第２ダンパ２６，２７とを付設するようにした場合、調和空気の吹出方向を任意に選択できることとなり、使用形態の多様化を図ることができる。
【図面の簡単な説明】
【図１】本願発明の第１の実施の形態にかかる空気調和機の吸込グリルを取り外した状態を示す正面図である。
【図２】本願発明の第１の実施の形態にかかる空気調和機の縦断面図である。
【図３】本願発明の第２の実施の形態にかかる空気調和機の吸込グリルを取り外した状態を示す正面図である。
【図４】本願発明の第２の実施の形態にかかる空気調和機の断面図である。
【図５】本願発明の第３の実施の形態にかかる空気調和機の吸込グリルを取り外した状態を示す正面図である。
【図６】本願発明の第３の実施の形態にかかる空気調和機の断面図である。
【図７】本願発明の第４の実施の形態にかかる空気調和機の吸込グリルを取り外した状態を示す正面図である。
【図８】本願発明の第４の実施の形態にかかる空気調和機の断面図である。
【図９】本願発明の第５の実施の形態にかかる空気調和機の断面図である。
【図１０】本願発明の第６の実施の形態にかかる空気調和機の吸込グリルを取り外した状態を示す正面図である。
【符号の説明】
１は箱状ケーシング、２は吸込グリル、３Ａは第１吹出グリル、３Ｂは第２吹出グリル、４は熱交換器、５は送風機ユニット、６は吸込口、６Ａは第１吸込口、６Ｂは第２吸込口、７は羽根車、７Ａは第１羽根車、７Ｂは第２羽根車、８Ａは第１吐出口、８Ｂは第２吐出口、９は仕切板、１０は第１吹出流路、１１は第２吹出流路、１２は第１連通口、１５，１６は副吐出口、２２は第２連通口、２４，２５は第１ダンパ、２６，２７は第２ダンパ、２８は第３吹出流路。
【図１】
0003671495.tif 000002
【図２】
0003671495.tif 000003
【図３】
0003671495.tif 000004
【図４】
0003671495.tif 000005
【図５】
0003671495.tif 000006
【図６】
0003671495.tif 000007
【図７】
0003671495.tif 000008
【図８】
0003671495.tif 000009
【図９】
0003671495.tif 000010
【図１０】
0003671495.tif 000011